(57)【要約】【課題】コンパクト化が可能で、しかも内蔵ミラーの傾き調整を簡単に行うことができるミラーユニットを提供する。【解決手段】顕微鏡の光路内に選択的に挿脱される少なくともミラーを内蔵した顕微鏡用ミラーユニットにおいて、ダイクロイックミラー９を固定するとともに、フランジ部２７を形成したミラー固定部材２５と、フランジ部２７が当接される受面２４を有し、該受面２４に当接されるフランジ部２７を介してミラー固定部材２５を保持する蛍光キューブ本体２１を具備し、フランジ部２７と該フランジ部２７が当接する受面２４のうち、少なくとも受面２４がダイクロイックミラー９の光軸折り返し点Ｐを中心とする球面で構成され、これらフランジ部２７と受面２４の当接面を介してミラー固定部材２５をミラーの光軸折り返し点Ｐを中心に回転可能とする。【選択図】　　図１
2004046107.tif 000002
【特許請求の範囲】
【請求項１】
顕微鏡の光路内に選択的に挿脱される少なくともミラーを内蔵した顕微鏡用ミラーユニットにおいて、
前記ミラーを固定するとともに、フランジ部を形成したミラー固定部材と、
前記フランジ部が当接される受面を有し、該受面に当接される前記フランジ部を介して前記ミラー固定部材を保持するミラーユニット本体と、を具備し、
前記フランジ部と該フランジ部が当接する前記受面のうち、少なくとも前記受面が前記ミラーの光軸折り返し点を中心とする曲面で構成され、これらフランジ部と受面の当接面を介して前記ミラー固定部材を前記ミラーの光軸折り返し点を中心に回転させ、前記ミラーの傾き角度を調整可能としたことを特徴とする顕微鏡用ミラーユニット。
【請求項２】
顕微鏡の光路内に選択的に挿脱される少なくともミラーを内蔵した顕微鏡用ミラーユニットにおいて、
前記ミラーを固定するとともに、前記ミラーの光路の周辺部にフランジ部を形成したミラー固定部材と、
前記フランジ部が当接される受面を有し、該受面に当接される前記フランジ部を介して前記ミラー固定部材を保持するミラーユニット本体と、を具備し、
前記ミラー固定部材は、前記フランジ部を介して前記ミラーユニット本体に対して傾き調整されて固定されることを特徴とする顕微鏡用ミラーユニット。
【請求項３】
前記ミラーユニット本体は、前記ミラー固定部材の前記ミラーの光軸折り返し点を中心にした回転量を調整する調整手段を有し、
該調整手段により前記ミラーの傾き角度を調整可能としたことを特徴とする請求項１または２記載の顕微鏡用ミラーユニット。
【請求項４】
前記ミラーユニット本体は、前記フランジ部が当接される受面が環状部材により構成され、該環状部材の前記フランジ部との当接面が前記ミラーの光軸折り返し点を中心とする曲面で構成されることを特徴とする請求項１または２記載の顕微鏡用ミラーユニット。
【請求項５】
前記ミラー固定部材のフランジ部は、前記ミラーの反射面と反対側に形成され、該フランジ部により前記受面を介して前記ミラーユニット本体に固定されることを特徴とする請求項１乃至４のいずれかに記載の顕微鏡用ミラーユニット。
【発明の詳細な説明】
【０００１】
【発明の属する技術分野】
本発明は、光学顕微鏡に適用され、例えば、同一標本内において、複数の物質相互間の位置および特定物質の位置の変化などを多重観察するのに好適な顕微鏡用ミラーユニットに関するものである。
【０００２】
【従来の技術】
従来、顕微鏡による観察では、観察する物質により検鏡法が異なり、また、物質によって染色される蛍光色素が異なる。このため、このような観察条件の異なる標本像を同一視野内で観察したり、写真撮影またはＴＶ撮影などで多重記録しようとすると、複数の検鏡法の切換えや多重染色蛍光の蛍光励起の切換えなどが必要となる。この場合、検鏡法の切換えは、観察光路中で、例えば、偏光板、偏光解消板、ハーフミラーなどのユニットの切換え挿脱が行われ、また、蛍光励起の切換えでは、例えばダイクロイックミラー、吸収フィルタを有する蛍光キューブなどのユニットの切換えが行われる。
【０００３】
ところで、このようにして観察光路に選択的に切換えられるユニットとして、折り返しミラーを内蔵するミラーユニットが用いられる場合、観察光路中での保持部材の位置決め精度の影響により、ミラーユニットの切換え時に、お互いのミラーの間に角度ズレを生じることがあり、この角度ズレが照明光路の軸心のズレとなって、各観察像の間で光量ムラを発生するという問題があった。
【０００４】
このような問題に対し、従来、例えば、特許文献１に開示されるように無限遠光学系に入る光学素子の観察系の心ズレを例に挙げ、光学素子に心補正ユニットを組み合わせて心ズレを補正するものが考えられている。すなわち、かかる特許文献１のものは、無限遠観察光学系を構成する対物レンズと結像レンズの間に挿脱可能な平面板を備える光学顕微鏡において、結像レンズと平面板との間に、芯補正ユニットを設けており、この芯補正ユニットは、平面および所定の曲率を有する凹面を備えた第１のレンズと、平面および凹面と同一曲率を有し且つ凹面に対面させて配置される凸面を備えた第２のレンズと、第１のレンズの凹面と第２のレンズの凸面との間に所定の間隙が与えられるように配置されたスペーサと、第１および第２のレンズの凹凸面の曲率に沿って第１のレンズおよび第２のレンズを相対的に移動させると共に任意の移動位置で保持可能な移動調節手段とを具備し、平面板による芯ずれは、移動調節手段による芯補正ユニットの移動調整により補正できるようになっている。
【０００５】
また、特許文献２に開示されるように光情報再生装置や顕微鏡などの光学装置における光学素子の位置や傾きを調整するものも考えられている。すなわち、かかる特許文献２のものは、光学素子が固定され第１の当接部が形成された保持部材と、第１の当接部と当接する第２の当接部が形成されたベース部材と、第１の当接部と当接する第３の当接部が形成された調整部材とからなり、第１の当接部は、第２および第３の当接部上で摺動可能であって、かつ、第２および第３の当接部上での摺動により、ペース部材に対し保持部材が傾くように形成されており、調整部材は、その第３の当接部が第２の当接部に対し変位可能になるよう構成されている。
【０００６】
【特許文献１】
特開平１０−１１５７８１号公報
【０００７】
【特許文献２】
特開平１０−２０８２５１号公報
【０００８】
【発明が解決しようとする課題】
ところで、顕微鏡の観察法は、年々多様化しており、特に蛍光顕微鏡については、蛍光観察波長の多様化にともない、ダイクロイックミラー、吸収フィルタを有する蛍光キューブも多種のものが必要となっている。このため、例えば、図１１（ａ）（ｂ）に示すように回転ターレット１０１に挿脱可能に設けられる蛍光キューブ１０２は、同図（ａ）に示すようにターレット１０１の円周方向に９０°の間隔で４個配置されていたものに代わって、同図（ｂ）に示すようにターレット１０１の円周方向に６０°の間隔で６個配置されものが用いられるようにもなっており、これにともない、蛍光キューブ１０２自体のコンパクト化が要求されている。一方で、蛍光顕微鏡においては、微弱な蛍光を感度よく検出する要求も高まっており、このため蛍光キューブ１０２の切換えによる照明光路の軸心のズレによる照明ムラを極力抑えて観察精度の向上を図ることも重要になっている。
【０００９】
ところが、特許文献１に開示されるものを、上述した蛍光キューブ１０２に適用しようとすると、蛍光キューブ１０２の上側に心補正ユニットを構成するスペースが必要となるため、蛍光キューブ１０２をコンパクトに構成するのが難しくなる。また、第１および第２のレンズなどの不必要な硝材が光路中に配置されるので、ただでさえ微弱な蛍光の観察に影響を及ぼし、さらに観察像自体の劣化にもつながるという問題がある。
【００１０】
また、特許文献２に開示されるものについても、コンパクト化が要求され、また、光線の通過スペースを大きく必要とする蛍光キューブ１０２の中に構成するのはスペース的に難しく、また構成できたとしても、保持部材の第１の当接部をバネ力により調整部材の第３の当接部へ当て付けるようにしていることから、調整後の当て付け保持に強度的な問題が残り、頻繁に光路への挿脱が繰り返され着脱交換されるように蛍光キューブヘの応用は難しい。
【００１１】
本発明は上記事情に鑑みてなされたもので、コンパクト化が可能で、しかも内蔵ミラーの傾き調整を簡単に行うことができるミラーユニットを提供することを目的とする。
【００１２】
【課題を解決するための手段】
請求項１記載の発明は、顕微鏡の光路内に選択的に挿脱される少なくともミラーを内蔵した顕微鏡用ミラーユニットにおいて、前記ミラーを固定するとともに、フランジ部を形成したミラー固定部材と、前記フランジ部が当接される受面を有し、該受面に当接される前記フランジ部を介して前記ミラー固定部材を保持するミラーユニット本体と、を具備し、前記フランジ部と該フランジ部が当接する前記受面のうち、少なくとも前記受面が前記ミラーの光軸折り返し点を中心とする曲面で構成され、これらフランジ部と受面の当接面を介して前記ミラー固定部材を前記ミラーの光軸折り返し点を中心に回転させ、前記ミラーの傾き角度を調整可能としたことを特徴としている。
【００１３】
請求項２記載の発明は、顕微鏡の光路内に選択的に挿脱される少なくともミラーを内蔵した顕微鏡用ミラーユニットにおいて、前記ミラーを固定するとともに、前記ミラーの光路の周辺部にフランジ部を形成したミラー固定部材と、前記フランジ部が当接される受面を有し、該受面に当接される前記フランジ部を介して前記ミラー固定部材を保持するミラーユニット本体と、を具備し、前記ミラー固定部材は、前記フランジ部を介して前記ミラーユニット本体に対して傾き調整されて固定されることを特徴としている。
【００１４】
請求項３記載の発明は、請求項１又は２記載の発明において、前記ミラーユニット本体は、前記ミラー固定部材の前記ミラーの光軸折り返し点を中心にした回転量を調整する調整手段を有し、該調整手段により前記ミラーの傾き角度を調整可能としたことを特徴としている。
【００１５】
請求項４記載の発明は、請求項１又は２記載の発明において、前記ミラーユニット本体は、前記フランジ部が当接される受面が環状部材により構成され、該環状部材の前記フランジ部との当接面が前記ミラーの光軸折り返し点を中心とする曲面で構成されることを特徴としている。
【００１６】
請求項５記載の発明は、請求項１乃至４のいずれかに記載の発明において、前記ミラー固定部材のフランジ部は、前記ミラーの反射面と反対側に形成され、該フランジ部により前記受面を介して前記ミラーユニット本体に固定されることを特徴としている。
【００１７】
この結果、本発明によれば、ミラーユニット本体内部に新たなスペースを追加することなく、ミラーの傾きの調整が可能となり、ユニットのコンパクト化を実現でき、また、ミラー固定部材の僅かな回転を調整するのみで、ミラーの傾き調整を簡単に行うことができる。
【００１８】
また、本発明によれば、環状部材とともに、フランジ部の機械加工が可能になるので、構成部品の加工も簡単にできる。
【００１９】
【発明の実施の形態】
以下、本発明の実施の形態を図面に従い説明する。
【００２０】
（第１の実施の形態）
図１は、本発明の顕微鏡用ミラーユニットが適用され光学顕微鏡の概略構成を示している。図１において、１は落射照明用の光源で、この光源１には、例えば、ハロゲンランプや水銀ランプ等が用いられている。
【００２１】
光源１から発光された光は、コレクターレンズ２を介して平行光に変換されて調光用のフィルタ３に導光され、開口絞り４、視野絞り５およびリレーレンズ６を介して顕微鏡用ミラーユニットとしての蛍光キューブ７に照射される。
【００２２】
蛍光キューブ７は、励起フィルタ８、ミラーとしてのダイクロイックミラー９および吸収フィルタ１４を有している。
【００２３】
蛍光キューブ７に導入された光は、励起フィルタ８を透過し短波長の励起光となってダイクロイックミラー９に照射される。ダイクロイックミラー９は、一種の干渉フィルタからなるもので、短波長を反射し、長波長を透過するように構成されている。
【００２４】
これにより、励起フィルタ８で励起された短波長の励起光は、ダイクロイックミラー９で全反射され、対物レンズ１１に導光される。
【００２５】
対物レンズ１１は、レボルバ１０に複数個（図示では１個のみを示している。）装着されており、対物レンズ１１が選択的に光軸１９上に配置される。
【００２６】
対物レンズ１１を透過した励起光は、顕微鏡ステージ１２上に配置された標本１３に集光される。
【００２７】
標本１３から発光された蛍光は、再び、対物レンズ１１を介して平行光束に規制され、蛍光キューブ７のダイクロイックミラー９に照射される。
【００２８】
この場合、標本１３から発光された蛍光の波長は、ストークスシフトにより、励起光の波長より長波長側にシフトしている。これにより、標本１３からの蛍光は、ダイクロイックミラー９で、そのほとんどの光量が透過され、蛍光キューブ７の吸収フィルタ１４に照射される。
【００２９】
吸収フィルタ１４は、散乱または反射に伴う僅かな励起光を吸収して標本１３から発光された蛍光のみを取り出すようになっている。これにより、標本１３から発光された蛍光のみが、結像レンズ１５を介してビームスプリッタ１６に照射され、接眼光学系１７を介して目視観察または写真撮影用接眼レンズ１８を介して写真撮影される。
【００３０】
ここで、蛍光キューブ７は、切換用ターレット２０に複数個設けられている。この切換用ターレット２０は、光軸１９と平行に配置された回転軸２０ａを有するとともに、回転軸２０ａ周囲に沿って複数の蛍光キューブ７が配設されたもので、この回転軸２０ａを中心に回転させることにより、選択的に蛍光キューブ７を光軸１９上に配置できるようになっている。つまり、上述したような落射蛍光観察において、標本１３が多重染色蛍光標本である場合、夫々の蛍光色素に対応させて励起光を変える必要があるが、この場合、切換用ターレット２０を回転させることで、最適な励起フィルタ８を有する蛍光キューブ７を選択的に光軸１９上に切換えることができるようになっている。
【００３１】
ところで、このようにして選択的に蛍光キューブ７を光軸１９上に切換える場合、仮に、蛍光キューブ７ごとにダイクロイックミラー９を保持する部品精度のバラツキにより、ダイクロイックミラー９に傾き誤差が生じていると、蛍光キューブ７を切換える前と切換えた後とで、照明光学系の芯がずれることがある。このことは、多重染色蛍光標本に対して励起光を切換えながら、写真およびＴＶ画像等で多重露光を行うような場合、蛍光色素毎に観察像面で照明ムラが生じてしまうという問題を生じる。
【００３２】
そこで、本発明の蛍光キューブ７は、以下述べるように構成されている。
【００３３】
図２（ａ）（ｂ）は、蛍光キューブ７の概略構成を示すものである。図において、２１はミラーユニット本体としての蛍光キューブ本体で、この蛍光キューブ本体２１は、上面２１ａ、両側面２１ｂ、２１ｃおよび背面２１ｄの４面を有する枠体からなっている。
【００３４】
蛍光キューブ本体２１の背面２１ｄには、上述した切換用ターレット２０に装着するための取付アリ２２が設けられている。また、蛍光キューブ本体２１の上面２１ａには、貫通穴２３が形成されている。この貫通穴２３の開口端近傍には、円周方向に沿って段部からなる受面２４が形成されている。
【００３５】
蛍光キューブ本体２１の貫通穴２３には、図３（ａ）（ｂ）に示す筒状のミラー固定部材２５が挿入されている。このミラー固定部材２５は、一方開口端部に吸収フィルタ１４が固定されている。また、ミラー固定部材２５の他方開口端は、同図（ｂ）に示すように傾斜して切り欠かかれ、この傾斜した開口端面にミラー取付部２６が形成されている。このミラー取付部２６は、円周方向に沿って等間隔にミラー位置決め用の突起部２６ａ〜２６ｄが形成され、これら突起部２６ａ〜２６ｄによりダイクロイックミラー９が位置決めして固定されている。
【００３６】
ミラー固定部材２５は、ダイクロイックミラー９の背面側、つまりダイクロイックミラー９の反射面と反対側に位置される一方開口端の周縁部に沿ってフランジ部２７が形成されている。このフランジ部２７は、ミラー固定部材２５を蛍光キューブ本体２１の受面２４に固定するための固定部位となるもので、ダイクロイックミラー９の光路の周囲で蛍光キューブ本体２１に固定されるようになっている。
【００３７】
フランジ部２７は、外周面に沿ってテーパ面２７ａが形成されている。また、フランジ部２７は、貫通穴２３の開口端部に形成された受面２４に当接されている。この場合、ミラー固定部材２５のフランジ部２７と貫通穴２３の受面２４との当接面は、ダイクロイックミラー９の光軸折り返し点Ｐを中心とする半径Ｒの曲面、例えば球面で構成されている。これにより、ミラー固定部材２５は、蛍光キューブ本体２１に対し、フランジ部２７と受面２４の当接面を介してダイクロイックミラー９の光軸折り返し点Ｐを中心に回転可能に保持されている。
【００３８】
蛍光キューブ本体２１の貫通穴２３周囲には、調整手段として円周方向に沿って等間隔に複数本（図示例では３本）の心出しネジ２８が配置されている。これら心出しネジ２８は、それぞれの先端をフランジ部２７外周のテーパ面２７ａに当接されており、これらのねじ込み量を適宜調整することにより、球面に形成されたフランジ部２７と受面２４の当接面を介してダイクロイックミラー９の光軸折り返し点Ｐを中心にミラー固定部材２５全体をｚ軸周りに回転させ、ダイクロイックミラー９の傾き角度を調整できるようになっている。
【００３９】
ミラー固定部材２５には、心出しネジ２８が当接しない位置に先端を球形に形成されたピン２９が突出して設けられている。このピン２９は、蛍光キューブ本体２１の貫通穴２３の開口周縁部に設けられた切り欠き部３０に嵌合され、ダイクロイックミラー９のｙ軸周りの回転を規制するようになっている。
【００４０】
蛍光キューブ本体２１には、フィルタ取付け部材３１が設けられている。このフィルタ取付け部材３１は、蛍光キューブ本体２１の上面２１ａに対向する底面３１ａと、この底面３１ａに直立して設けられ、蛍光キューブ本体２１の背面２１ｄに対向するフィルタ支持部面３１ｂを有するもので、底面３１ａに透孔３２が形成されるとともに、フィルタ支持部面３１ｂに励起フィルタ８が支持されている。
【００４１】
このように構成された蛍光キューブ７は、図１で述べた切換用ターレット２０に対し取付アリ２２を介して取り付けられる。この場合、蛍光キューブ７は、光源１からの照明光路上（ｘ軸方向）に励起フィルタ８およびダイクロイックミラー９が配置され、対物レンズ１１の光軸１９上（ｙ軸方向）にフィルタ取付け部材３１の透孔３２を介してダイクロイックミラー９と吸収フィルタ１４が配置される。
【００４２】
そして、この状態からダイクロイックミラー９の傾きを調整するには、蛍光キューブ本体２１の貫通穴２３周囲に設けられた３本の心出しネジ２８のねじ込み量を調整する。つまり、これら心出しネジ２８のねじ込みを緩めたり、締めたりする動作を繰り返す。すると、ミラー固定部材２５は、フランジ部２７外周のテーパ面２７ａに対する心出しネジ２８先端での押圧力が調整されることから、半径Ｒの球面で形成されたフランジ部２７と受面２４の当接面を介して、ダイクロイックミラー９の光軸折り返し点Ｐを中心にｚ軸周りに僅かに回転され、これによりダイクロイックミラー９は、所望する傾き位置に調整される。
【００４３】
この場合、ミラー固定部材２５は、ピン２９が蛍光キューブ本体２１の貫通穴２３の切り欠き部３０に嵌合されているので、ダイクロイックミラー９のｙ軸周りの回転が規制されるので、ダイクロイックミラー９の振れだけを微調整することができる。
【００４４】
そして、ダイクロイックミラー９の傾き調整終了後は、心出しネジ２８を適宜締め付けてフランジ部２７と受面２４の当接面が動かないように固定してダイクロイックミラー９の傾き状態を確実なものにする。
【００４５】
従って、このようにすれば、蛍光キューブ本体２１に対しダイクロイックミラー９を固定したミラー固定部材２５をフランジ部２７と受面２４の当接面を介してダイクロイックミラー９の光軸折り返し点Ｐを中心に回転可能に保持する構成としたので、蛍光キューブ本体２１内部に新たなスペースを追加することなく、ミラーの傾きの調整が可能となり、ユニットのコンパクト化を実現できる。
【００４６】
また、ミラー固定部材２５の僅かな回転を調整するのみで、ダイクロイックミラー９の傾き角度を調整できるので、ミラーの傾き調整を簡単に行うことができる。このことは、選択的に蛍光キューブ７を光路上に切換える場合、仮に、蛍光キューブ７ごとにダイクロイックミラー９を保持する部品精度のバラツキにより、ダイクロイックミラー９に傾き誤差が生じていると、蛍光キューブ７を切換える前と切換えた後とで、照明光学系の芯がずれることがあるが、この場合も、ダイクロイックミラー９の傾き調整を簡単にできるので、多重染色蛍光標本に対して励起光を切換えながら、写真およびＴＶ画像等で多重露光を行うような場合も、蛍光色素毎の観察像面での照明ムラを確実に防止することができる。
【００４７】
さらに、ダイクロイックミラー９の傾き調整後は、心出しネジ２８を適宜締め付けてフランジ部２７と受面２４の当接面が動かないように固定できるので、蛍光キューブ７を切り換えたり、交換するときにあらかじめ調整した傾きがズレるようなことも防止できる。
【００４８】
さらに、ミラー固定部材２５は、ダイクロイックミラー９の光路の周囲でフランジ部２７を介して蛍光キューブ本体２１に固定されているので、これらの固定部がダイクロイックミラー９に入射、反射および透過される光のそれぞれの光路に影響を与えることがなく、ダイクロイックミラー９を蛍光キューブ本体２１内に安定して保持することができる。
【００４９】
さらに、ミラー固定部材２５は、ダイクロイックミラー９の背部、つまり、反射面と反対側に形成されたフランジ部２７により受面２４を介して蛍光キューブ本体２１に固定されるので、ミラー固定部材２５に光路を通すための孔部などを特別に設けるような必要がなくなり、構成を簡単なものにできる。
【００５０】
（第２の実施の形態）
次に、本発明の第２の実施の形態を説明する。
【００５１】
図４（ａ）（ｂ）は、本発明の第２の実施の形態が適用される蛍光キューブの概略構成を示すもので、図２と同一部分には、同符号を付している。
【００５２】
第１の実施の形態では、ミラー固定部材２５のフランジ部２７および蛍光キューブ本体２１の貫通穴２３の受面２４は、それぞれダイキャストなどの成型により一体形成した例を述べたが、これらフランジ部２７および受面２４を機械加工により構成しようとすると難しい。
【００５３】
この第２の実施の形態では、図４（ａ）に示すように貫通穴２３の段部２３ａ上に沿って環状部材３３が設けられている。この環状部材３３は、同図（ｂ）に示すように、ミラー固定部材２５のフランジ部２７と接触する受面３３ａが、ダイクロイックミラー９による光軸折り返し点Ｐを中心とする半径Ｒの球面に形成されている。この場合、フランジ部２７は、先端部を直線加工により形成され、環状部材３３の当接面に対し図５に示す断面図でみて点当たりとなって、環状部材３３の円周方向に沿った当接面に線接触するようになっている。
【００５４】
このようにしても、蛍光キューブ本体２１の貫通穴２３周囲に設けられた３本の心出しネジ２８のねじ込み量を調整することにより、上述したようにダイクロイックミラー９の傾き調整を同様にして行うことができる。また、この場合は、環状部材３３とともに、フランジ部２７の機械加工が可能になるので、構成部品の加工も簡単にできる。
【００５５】
なお、このような環状部材３３を設けた蛍光キューブは、ダイクロイックミラー９のｙ軸周りの回転を規制するための手段としての、ミラー固定部材２５に設けられた先端を球形に形成したピン２９および蛍光キューブ本体２１の貫通穴２３の開口周縁部に設けられ、ピン２９が嵌合される切り欠き部３０を省略したものにも適用できる。
【００５６】
（第３の実施の形態）
次に、本発明の第３の実施の形態を説明する。
【００５７】
図５は、本発明の第３の実施の形態が適用される蛍光キューブの概略構成を示すもので、図２と同一部分には、同符号を付している。
【００５８】
第１の実施の形態では、ダイクロイックミラー９のｙ軸周りの回転を規制する例を述べたが、このｙ軸周りの回転方向の精度が要求される場合もある。
【００５９】
この第３の実施の形態では、図５に示すように蛍光キューブ本体２１の側面に、貫通穴２３の切り欠き部３０まで貫通するネジ孔３４が形成されている。ネジ孔３４には、調整ネジ３５がねじ込まれている。この調整ネジ３５は、先端を切り欠き部３０に嵌合されたミラー固定部材２５のピン２９の先端部に当接されており、ねじ込み量を適宜調整することにより、ダイクロイックミラー９のｙ軸周りの回転についても微調整できるようにしている。
【００６０】
このようにすれば、ダイクロイックミラー９の傾き調整をさらに高精度に行うことができる。
【００６１】
なお、上述した実施の形態では、ミラーユニットとして所定波長の光を選択的に反射および透過させるダイクロイックミラーを内蔵する蛍光キューブについて述べたが、顕微鏡の光路内に選択的に挿脱される折り返しミラー、ハーフミラーなどを内蔵するミラーユニットについても同様に適用することができる。また、上述した実施の形態では、蛍光キューブ本体２１の貫通穴２３周囲に設けられた心出しネジ２８が３本の場合を述べたが、調整時の周囲のスペースや配置を考慮すれば、例えば４本以上としても何ら問題ない。
【００６２】
（第４の実施の形態）
次に、本発明の第４の実施の形態を説明する。
【００６３】
図６（ａ）（ｂ）は、本発明の第４の実施の形態が適用される蛍光キューブの概略構成を示すものである。図において、４１はミラーユニット本体としての蛍光キューブ本体で、この蛍光キューブ本体４１は、上面４１ａ、両側面４１ｂ、４１ｃおよび背面４１ｄの４面を有する枠体からなっている。
【００６４】
蛍光キューブ本体４１の背面４１ｄには、図１で述べた切換用ターレット２０に装着するための取付アリ４２が設けられている。また、蛍光キューブ本体４１には、上面４１ａを貫通する貫通穴４３が形成されている。貫通穴４３の開口端周縁には、円周方向に沿って受面４４が形成されている。この場合、受面４４は、貫通穴４３の開口から外周部に向けて徐々に下る傾斜面に形成されている。また、受面４４には、円周方向に沿って所定間隔をおいて複数（図示例では３個）のネジ穴４４ａが形成されている。
【００６５】
蛍光キューブ本体４１の貫通穴４３には、図７（ａ）（ｂ）に示すような筒状のミラー固定部材４５が挿入されている。このミラー固定部材４５は、一方開口端部に、図１で述べた吸収フィルタ１４が固定されている。また、ミラー固定部材４５の他方開口端は、同図（ｂ）に示すように傾斜して切り欠かかれ、この傾斜した開口端面にミラー取付部４６が形成されている。このミラー取付部４６は、円周方向に沿って等間隔にミラー位置決め用の突起部４６ａ〜４６ｄが形成され、これら突起部４６ａ〜４６ｄにより図１で述べたダイクロイックミラー９が位置決めして固定されている。
【００６６】
ミラー固定部材４５は、ダイクロイックミラー９の背面側、つまりダイクロイックミラー９の反射面と反対側に位置される一方開口端の周縁部に沿ってフランジ部４７が形成されている。このフランジ部４７は、ミラー固定部材４５を受面４４を介して蛍光キューブ本体４１に固定するための固定部位となるもので、ダイクロイックミラー９の光路（透過光路）の周囲で蛍光キューブ本体４１に固定されるようになっている。
【００６７】
フランジ部４７は、受面４４上に当接するように載置される。この場合、フランジ部４７と受面４４との当接面は、ダイクロイックミラー９の光軸折り返し点Ｐを中心とする半径Ｒの曲面、例えば球面で構成されている。これにより、ミラー固定部材４５は、蛍光キューブ本体４１に対し、フランジ部４７と受面４４の当接面を介してダイクロイックミラー９の光軸折り返し点Ｐを中心に回転可能に保持されている。
【００６８】
フランジ部４７には、受面４４のネジ穴４４ａに対応する位置に孔部４７ａが形成されている。この孔部４７ａは、ネジ穴４４ａの径に比べて十分に大きな径を有している。これにより孔部４７ａを介してネジ穴４４ａにネジ４８を取り付けた状態で、ネジ４８のねじ込みを十分に行なわなければ、ミラー固定部材４５は、孔部４７ａの範囲でフランジ部４７と受面４４の当接面を介してダイクロイックミラー９の光軸折り返し点Ｐを中心に移動可能となり、ダイクロイックミラー９の傾き角度を調整できようになっている。
【００６９】
蛍光キューブ本体４１には、フィルタ取付け部材４９が設けられている。このフィルタ取付け部材４９は、蛍光キューブ本体４１の上面４１ａに対向する底面４９ａと、この底面４９ａに直立して設けられ、蛍光キューブ本体４１の背面４１ｄに対向するフィルタ支持部面４９ｂを有するもので、底面４９ａに透孔５０が形成されるとともに、フィルタ支持部面４９ｂに図１で述べた励起フィルタ８が支持されている。
【００７０】
このように構成された蛍光キューブは、図１で述べた切換用ターレット２０に対し取付アリ４２を介して取り付けられる。
【００７１】
この状態からダイクロイックミラー９の傾きを調整するには、蛍光キューブ本体４１のフランジ部４７でネジ４８のねじ込みを緩める。すると、ミラー固定部材４５は、孔部４７ａの範囲で、フランジ部４７と受面４４の当接面を介してダイクロイックミラー９の光軸折り返し点Ｐを中心に移動できるようになるので、この範囲でミラー固定部材４５を動かすことで、ダイクロイックミラー９を所望する傾き角度に調整することができる。
【００７２】
そして、ダイクロイックミラー９の傾きを調整した後は、ネジ４８を十分に締め付け、フランジ部４７と受面４４の当接面が動かないように固定することによりダイクロイックミラー９の傾き状態を確実なものにする。
【００７３】
このようにすれば、ダイクロイックミラー９の傾きを調整する場合、ネジ４８によるミラー固定部材４５の固定を一旦緩めて、この状態で、ミラー固定部材４５を孔部４７ａの範囲で移動させ、ダイクロイックミラー９の傾きを所望の位置に調整し、その後、ネジ４８を締め付け、ミラー固定部材４５をフランジ部４７を介して蛍光キューブ本体４１に固定することにより、ダイクロイックミラー９を、光軸折り返し点Ｐを中心にして精度よく移動させることができ、光軸折り返し点Ｐをずらすことなく所望の傾き位置に調整することができる。
【００７４】
これにより、蛍光キューブに新たなスペースを追加することなく、コンパクトな構成で、ミラーの傾きの調整が可能となる。また、調整終了とともに、ネジ４８を締め付け、ミラー固定部材４５をフランジ部４７を介して蛍光キューブ本体４１に固定することにより、蛍光キューブを切り換えたり、交換するときにあらかじめ調整した傾きがずれるようなことも防止できるなど、第１の実施の形態と同様な効果を期待できる。
【００７５】
（変形例）
次に、第４の実施の形態の変形例を説明する。
【００７６】
図８（ａ）（ｂ）は、第４の実施の形態の変形例の概略構成を示すもので、図６と同一部分には、同符号を付している。
【００７７】
この場合、筒状のミラー固定部材４５は、フランジ部４７が形成された一方開口端にネジ部４５ａが形成されている。このネジ部４５ａには、操作部材５１が着脱可能に設けられる。
【００７８】
操作部材５１は、先端部に摘み部５１ａを有するとともに、基端部にミラー固定部材４５のネジ部４５ａに対応するネジ５１ｂが形成されている。そして、ネジ５１ｂをネジ部４５ａにねじ込み、操作部材５１をミラー固定部材４５に取り付けた状態から、摘み部５１ａを操作するこによりミラー固定部材４５の傾きを調整できるようになっている。
【００７９】
ミラー固定部材４５には、中心軸と直交する方向に貫通孔４５ｂが形成され、また、蛍光キューブ本体４１には、貫通孔４５ｂに対応する位置に、この貫通孔４５ｂより十分大きな径を有する孔部５２が形成されている。そして、これら貫通孔４５ｂおよび孔部５２には、操作棒５３が貫通するように設けられている。
【００８０】
こうすれば、蛍光キューブ本体４１のフランジ部４７でネジ４８のねじ込みを緩めて、摘まみ部５１ａを操作することでミラー固定部材４５の傾きを所望の位置に調整することができる。また、操作棒５３を図示矢印方向に操作することにより、孔部５２の範囲で、ｙ軸の回転方向の調整も簡単に行なうことができる。
【００８１】
そして、これらの調整の後、ネジ４８を締め付け、ミラー固定部材４５をフランジ部４７を介して蛍光キューブ本体４１に固定する。また、この固定状態から、操作部材５１および操作棒５３をミラー固定部材４５から取り外す。
【００８２】
従って、このようにすれば、ダイクロイックミラー９の傾き調整を、さらに簡単に、精度よく行なうことができる。
【００８３】
（第５の実施の形態）
次に、本発明の第５の実施の形態を説明する。
【００８４】
図９（ａ）（ｂ）は、本発明の第５の実施の形態が適用される蛍光キューブの概略構成を示すもので、図６と同一部分には、同符号を付している。
【００８５】
この場合、蛍光キューブ本体４１は、貫通穴４３の開口端内周面に段部４３ａが形成されている。そして、この段部４３ａ上に沿って環状部材６１が設けられている。この環状部材６１は、ミラー固定部材４５のフランジ部４７と接触する受面６１ａが、ダイクロイックミラー９による光軸折り返し点Ｐを中心とする半径Ｒの球面に形成されている。この場合、フランジ部４７先端部と環状部材６１の当接面との関係は、上述した図５に準じるようになっている。
【００８６】
蛍光キューブ本体４１の貫通穴４３の開口端面には、円周方向に沿って所定間隔をおいて弾性部材として複数の板バネ６２が設けられている。これら板バネ６２は、ミラー固定部材４５のフランジ部４７を環状部材６１の受面６１ａ側に押し当てるためのものである。
【００８７】
蛍光キューブ本体４１の貫通穴４３の開口端周面には、円周方向に沿って所定間隔をおいて複数のネジ穴４３ｂが形成されている。これらネジ穴４３ｂには、ネジ６３がねじ込まれている。これらネジ６３は、先端を環状部材６１に当接しており、それぞれのねじ込み量を調整することで環状部材６１を段部４３ａ上で移動させ、ダイクロイックミラー９の傾き調整を行うことができるようにしている。
【００８８】
その他は、図６と同様である。
【００８９】
これにより、ダイクロイックミラー９の傾きを調整する場合は、ネジ６３のねじ込み量を適宜調整して、環状部材６１を移動させれば、フランジ部４７が環状部材６１の受面６１ａに沿って摺動することになり、ダイクロイックミラー９の傾きを調整することができる。
【００９０】
このようにしても、蛍光キューブに新たなスペースを追加することなく、コンパクトな構成で、ミラーの傾きの調整が可能になるなど、第４の実施の形態と同様な効果を期待できる。
【００９１】
（第６の実施の形態）
次に、本発明の第６の実施の形態を説明する。
【００９２】
図１０（ａ）（ｂ）は、本発明の第６の実施の形態が適用される蛍光キューブの概略構成を示すもので、図６と同一部分には、同符号を付している。
【００９３】
この場合、蛍光キューブ本体４１は、貫通穴４３の開口端内周面に段部を介して受面４３ｃが形成されている。
【００９４】
また、ミラー固定部材４５は、一方開口端の周縁部に沿ってフランジ部４７が形成されている。このフランジ部４７は、受面４３ｃ上に当接するように載置される。
【００９５】
ミラー固定部材４５のフランジ部４７には、円周方向に沿って所定間隔をおいて複数のネジ穴４７ｂが形成されている。これらネジ穴４７ｂには、第１の調整手段としてのネジ７１がねじ込まれている。これらネジ７１は、先端を受面４３ｃに当接されていて、ねじ込み量を調整することにより、フランジ部４７を受面４３ｃから引き離す方向に移動させるようになっている。
【００９６】
ミラー固定部材４５のフランジ部４７には、円周方向に沿って所定間隔をおいて複数の孔部４７ｃが形成されている。また、蛍光キューブ本体４１の受面４３ｃには、孔部４７ｃに対応する位置にネジ穴４３ｄが形成されている。これらネジ穴４３ｄには、孔部４７ｃを介して第２の調整手段としてのネジ７２がねじ込まれている。これらネジ７２は、ねじ込み量を調整することにより、フランジ部４７を受面４３ｃに引き寄せる方向に移動させるようになっている。
【００９７】
その他は、図６と同様である。
【００９８】
これにより、ダイクロイックミラー９の傾きを調整する場合は、ネジ７１のねじ込み量を調整して、フランジ部４７を受面４３ｃから引き離す方向に移動させるとともに、ネジ７２のねじ込み量を調整して、フランジ部４７を受面４３ｃに引き寄せる方向に移動させることにより、ダイクロイックミラー９の傾きを調整することができる。
【００９９】
このようにしても、蛍光キューブに新たなスペースを追加することなく、コンパクトな構成で、ミラーの傾きの調整が可能になるなど、第４の実施の形態と同様な効果を期待できる。
【０１００】
その他、本発明は、上記実施の形態に限定されるものでなく、実施段階では、その要旨を変更しない範囲で種々変形することが可能である。例えば、蛍光キューブは、励起フィルタ８のないもの、あるいは励起フィルタ８と吸収フィルタ１４の両方がないものなど各種の用途の蛍光キューブにも適用できる。
【０１０１】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【０１０２】
なお、上述した実施の形態には、以下の発明も含まれる。
【０１０３】
（１）顕微鏡の光路内に選択的に挿脱される少なくともミラーを内蔵した顕微鏡ミラーユニットにおいて、
前記ミラーを固定するとともに、フランジ部を形成したミラー固定部材と、
前記フランジ部が当接される受面を有する環状部材と、
前記環状部材を介して前記ミラー固定部材を保持するミラーユニット本体と、を具備し、
前記フランジ部と該フランジ部が当接する前記環状部材の受面のうち、少なくとも前記受面が前記ミラーの光軸折り返し点を中心とする曲面で構成され、前記環状部材を光軸に垂直な面に摺動させ、前記ミラーの傾き角度を調整可能にしたことを特徴とする顕微鏡用ミラーユニット。
【０１０４】
（２）顕微鏡の光路内に選択的に挿脱される少なくともミラーを内蔵した顕微鏡ミラーユニットにおいて、
前記ミラーを固定するとともに、フランジ部を形成したミラー固定部材と、
前記フランジ部が当接される受面を有し、該受面に当接される前記フランジ部を介して前記ミラー固定部材を保持するミラーユニット本体と、を具備し、
前記フランジ部と該フランジ部が当接する前記受面の間にあって、前記フランジ部を前記受面から引き離す方向に移動させる第１の調整手段と、前記フランジ部を前記受面から引き離す方向に移動させる第２の調整手段を有し、これら第１および第２の調整手段により前記ミラーの傾き角度を調整可能にしたことを特徴とする顕微鏡用ミラーユニット。
【０１０５】
【発明の効果】
以上述べたように本発明によれば、コンパクト化が可能で、しかも内蔵ミラーの傾き調整を簡単に行うことができるミラーユニットを提供できる。
【図面の簡単な説明】
【図１】本発明の第１の実施の形態が適用され光学顕微鏡の概略構成を示す図。
【図２】本発明の第１の実施の形態の概略構成を示す図。
【図３】第１の実施の形態に用いられるミラー固定部材の概略構成を示す図。
【図４】本発明の第２の実施の形態の概略構成を示す図。
【図５】本発明の第３の実施の形態の概略構成を示す図。
【図６】本発明の第４の実施の形態の概略構成を示す図。
【図７】第４の実施の形態に用いられるミラー固定部材の概略構成を示す図。
【図８】第４の実施の形態の変形例の概略構成を示す図。
【図９】本発明の第５の実施の形態の概略構成を示す図。
【図１０】本発明の第６の実施の形態の概略構成を示す図。
【図１１】従来のターレットに装着される蛍光キューブを説明するための図。
【符号の説明】
１…光源、２…コレクターレンズ、３…フィルタ
４…開口絞り、５…視野絞り、６…リレーレンズ
７…蛍光キューブ、８…励起フィルタ、９…ダイクロイックミラー
１０…レボルバ、１１…対物レンズ、１２…顕微鏡ステージ
１３…標本、１４…吸収フィルタ、１５…結像レンズ
１６…ビームスプリッタ、１７…接眼光学系、１８…写真撮影用接眼レンズ
１９…光軸、２０…切換用ターレット、２０ａ…回転軸
２１…蛍光キューブ本体、２１ａ…上面、２１ｂ．２１ｃ…両側面
２１ｄ…背面、２２…取付アリ、２３…貫通穴
２３ａ…段部、２４…受面、２５…ミラー固定部材
２６…ミラー取付部、２６ａ〜２６ｄ…突起部、２７…フランジ部
２７ａ…テーパ面、２８…ネジ、２９…ピン、３０…欠き部
３１…フィルタ取付け部材、３１ａ…底面、３１ｂ…フィルタ支持部面
３２…透孔、３３…環状部材、３３ａ…受面
３４…ネジ孔、３５…調整ネジ
４１…蛍光キューブ本体、４１ａ…上面、４１ｂ．４１ｃ…両側面
４１ｄ…背面、４２…取付アリ、４３…貫通穴
４３ａ…段部、４３ｂ…ネジ穴、４３ｃ…受面、４３ｄ…ネジ穴
４４…受面、４４ａ…ネジ穴、４５…ミラー固定部材
４５ａ…ネジ部、４５ｂ…貫通孔、４６…ミラー取付部
４６ａ〜４６ｄ…突起部、４７…フランジ部
４７ａ、４７ｂ…孔部、４７ｃ…ネジ穴
４８…ネジ、４９…フィルタ取付け部材、４９ａ…底面
４９ｂ…フィルタ支持部面、５０…透孔、５１…操作部材
５１ａ…摘み部、５１ｂ…ネジ、５２…孔部、５３…操作棒
６１…環状部材、６１ａ…受面、６２…板バネ、６３…ネジ
７１、７２…ネジ
【図１】
2004046107.tif 000003
【図２】
2004046107.tif 000004
【図３】
2004046107.tif 000005
【図４】
2004046107.tif 000006
【図５】
2004046107.tif 000007
【図６】
2004046107.tif 000008
【図７】
2004046107.tif 000009
【図８】
2004046107.tif 000010
【図９】
2004046107.tif 000011
【図１０】
2004046107.tif 000012
【図１１】
2004046107.tif 000013